(57)【要約】【構成】レーザ光の照射位置を光磁気ディスク５８の特定トラック領域に移動させるとき、レーザダイオード回路２０のレーザパワーはリードパワーＰｒ１に設定される。レーザ光の照射位置が特定トラック領域の先頭アドレスに達すると、レーザパワーはリードパワーＰｒ１からリードパワーＰｒ２に変更される。レーザパワーは、特定トラック領域から反射された反射レーザ光に基づいて最適値に調整される。【効果】データの破壊を防止でき、かつレーザパワーの調整に要する時間を短縮できる。【選択図】  図１
2004171708.tif 000002
【特許請求の範囲】
【請求項１】
レーザ出力手段によってディスク記録媒体に照射されるレーザ光の光量を前記ディスク記録媒体の特定領域から反射された反射レーザ光に基づいて調整するディスク装置において、
前記レーザ光の照射位置を前記特定領域に移動させるとき前記光量を第１量に設定する設定手段、および
前記レーザ光の照射位置が特定領域の先頭位置に達したとき前記光量を前記第１量から第２量に増大させる増大手段を備えることを特徴とする、ディスク装置。
【請求項２】
前記照射位置が前記特定領域の末尾位置に達したとき前記光量を前記第２量から前記第１量に減少させる減少手段、および
前記光量が前記減少手段によって減少された後に前記レーザ光の照射位置を前記特定領域の先頭位置に移動させる移動手段をさらに備える、請求項１記載のディスク装置。
【請求項３】
前記第１量を有するレーザ光に基づいてサーボ制御を実行する制御手段をさらに備える、請求項１または２記載のディスク装置。
【請求項４】
前記ディスク領域に照射されるレーザ光を集光させるレンズをさらに備え、
前記サーボ制御は前記レンズのフォーカスを制御するフォーカスサーボ制御を含む、請求項３記載のディスク装置。
【請求項５】
前記ディスク記録媒体は周方向に延びるトラックを有し、
前記サーボ制御は前記レーザ光のトラッキングを制御するトラッキングサーボ制御を含む、請求項３または４記載のディスク装置。
【発明の詳細な説明】
【０００１】
【発明の属する技術分野】
この発明は、ディスク装置に関し、特にたとえば、ディスク記録媒体の特定トラック領域から反射された反射レーザ光に基づいてレーザ発生手段の最適レーザパワーを求める、ディスク装置に関する。
【０００２】
【従来技術】
従来のこの種のディスク装置の一例が特許文献１に開示されている。この従来技術は、少なくとも３つのレーザパワー値とこれに対応する３つの評価データ値との関係を２次曲線によって近似し、この２次曲線の頂点に対応するレーザパワー値を最適レーザパワー値として決定しようとするものである。
【０００３】
なお、特許文献１の段落００３１および００４２の記述を考慮すると、テストリードの開始時のレーザパワー値つまり初期レーザパワー値は、起動時のレーザパワー値つまり起動レーザパワー値と一致する。
【０００４】
【特許文献１】
特開２００２−２３０７７９号公報
【０００５】
【発明が解決しようとする課題】
しかし、初期レーザパワー値および起動レーザパワー値を互いに一致させると、最適再生レーザパワー値の特定に時間がかかるか、あるいは起動時のサーボ処理によってデータが破壊される可能性がある。つまり、データ破壊を防止するために起動レーザパワー値を低くすると、最適再生レーザパワー値の特定に時間がかかり、最適再生レーザパワー値を短時間で特定するために初期レーザパワー値を高くすると、データが破壊されてしまう。
【０００６】
それゆえに、この発明の主たる目的は、再生レーザパワーの調整に要する時間を短縮でき、かつデータの破壊を防止できる、ディスク装置を提供することである。
【０００７】
【課題を解決するための手段】
この発明によれば、レーザ出力手段によってディスク記録媒体の特定領域に照射されるレーザ光の光量を特定領域から反射された反射レーザ光に基づいて調整するディスク装置において、レーザ光の照射位置を特定領域に移動させるとき光量を第１量に設定する設定手段、およびレーザ光の照射位置が特定領域の先頭位置に達したとき光量を第１量から第２量に増大させる増大手段を備えることを特徴とする。
【０００８】
【作用】
レーザ出力手段によって出力されるレーザ光の照射位置をディスク記録媒体の特定領域に移動させるとき、レーザ光の光量は設定手段によって第１量に設定される。レーザ光の照射位置が特定領域の先頭位置に達すると、レーザ光の光量は増大手段によって第１量から第２量に増大される。レーザ出力手段によってディスク記録媒体に照射されるレーザ光の光量は、特定領域から反射された反射レーザ光に基づいて調整される。
【０００９】
第１量は第２量よりも小さいため、特定領域への移動時にデータが破壊される事態が回避される。また、特定領域に達すると光量が第１量から第２量に増大されるため、レーザ光の光量の調整に要する時間が短縮される。
【００１０】
好ましくは、照射位置が特定領域の末尾位置に達したとき、光量が減少手段によって第２量から第１量に減少される。移動手段は、光量が減少された後にレーザ光の照射位置を特定領域の先頭位置に移動させる。これによって、特定領域へのアクセスを繰り返す必要があるときでも、データが破壊されることはない。
【００１１】
好ましくは、制御手段が、第１光量を有するレーザ光に基づいてサーボ制御を実行する。ディスク領域に照射されるレーザ光を集光させるレンズを備える場合、サーボ制御はレンズのフォーカスを制御するフォーカスサーボ制御を含む。また、ディスク記録媒体が周方向に延びるトラックを有する場合、サーボ制御はレーザ光のトラッキングを制御するトラッキングサーボ制御を含む。かかる場合、レーザ光の光量が第１量に設定されることで、データの破壊が効果的に防止される。
【００１２】
【発明の効果】
この発明によれば、第１量は第２量よりも小さいため、特定領域への移動時にデータが破壊される事態を防止することができる。また、特定領域に達すると光量が第１量から第２量に増大されるため、レーザ光の光量の調整に要する時間を短縮することができる。
【００１３】
この発明の上述の目的，その他の目的，特徴および利点は、図面を参照して行う以下の実施例の詳細な説明から一層明らかとなろう。
【００１４】
【実施例】
図１を参照して、この実施例の光ディスク装置１０は、光学レンズ１４が設けられた光ピックアップ１２を含む。光学レンズ１４は、トラッキングアクチュエータ１６およびフォーカスアクチュエータ１８によって支持される。レーザダイオード回路２０から出射されたレーザ光は、光学レンズ１４で収束されてＡＳＭＯ（Ａｄｖａｎｃｅｄ  Ｓｔｏｒａｇｅ  Ｍａｇｎｅｔｏ  Ｏｐｔｉｃａｌ  ｄｉｓｋ）のような光磁気ディスク５８の記録面に照射される。記録時はパルス変調されたレーザ光がレーザダイオード回路２０から出射され、再生時は高周波が重畳されたレーザ光がレーザダイオード回路２０から出射される。また、記録時は、ドライバ５４がＥＣＣエンコーダ５２から出力された記録信号に基づいて磁気ヘッド５６を駆動し、磁気ヘッド５６によって光磁気ディスク５８に磁界がかけられる。
【００１５】
なお、光磁気ディスク５８はスピンドル６０の上に搭載され、スピンドルモータ６２によって回転する。スピンドルモータ６２の回転数は、光ピックアップ１２が内周から外周に移動するにつれて低下する。また、この実施例のディスク装置１０はＦＡＴ方式またはＵＤＦ方式を採用し、ＥＣＣエンコーダ５０から出力された信号は、記録面に離散的に形成された空き領域に間欠的に記録される。
【００１６】
光磁気ディスク５８の表面には、図２に示すように、ランドトラックＬおよびグルーブトラックＧが交互に形成され、各トラックにはＦＣＭ（Ｆｉｎｅ  Ｃｌｏｃｋ  Ｍａｒｋ）およびアドレスマークが所定間隔でエンボス形成される。具体的に説明すると、ランドトラックは凸状に形成され、ランドトラック上のＦＣＭは凹状に形成される。これに対して、グルーブトラックは凹状に形成され、グルーブトラック上のＦＣＭは凸状に形成される。また、アドレスマークは、隣接する２つのトラックの境界線上を波打つように（ウォブル状に）形成され、この波の振れ幅は各々のトラック幅の１／２に相当する。このため、アドレスマークは、ランドトラック上では凹状に形成され、グルーブトラック上では凸状に形成される。なお、図２において斜線で示す部分が凹状部であり、白抜き部分が凸状部である。
【００１７】
図１に戻って、記録面からの反射光は、光学レンズ１４を通過して光検出器２２に照射される。光検出器２２の出力は、ＦＥ信号検出回路２４，ＴＥ信号検出回路２６，ＦＣＭ信号検出回路４４およびＲＦ信号検出回路４８に入力され、それぞれでＦＥ（Ｆｏｃｕｓ  Ｅｒｒｏｒ）信号，ＴＥ（Ｔｒａｃｋｉｎｇ  Ｅｒｒｏｒ）信号，ＦＣＭ信号およびＲＦ（Ｒａｄｉｏ  Ｆｒｅｑｕｅｎｃｙ）信号が検出される。
【００１８】
光検出器２２は、図３に示すように６つの検出素子２２ａ〜２２ｆからなる。このうち検出素子２２ａ〜２２ｄの出力がＦＥ信号検出回路２４，ＴＥ信号検出回路２６およびＦＣＭ信号検出回路４４において数１〜数３に従う演算を施され、検出素子２２ｅおよび２２ｆの出力がＲＦ信号検出回路４８において数４に従う演算を施される。
【００１９】
【数１】
ＦＥ＝（Ａ＋Ｃ）−（Ｂ＋Ｄ）
【００２０】
【数２】
ＴＥ＝（Ａ＋Ｄ）−（Ｂ＋Ｃ）
【００２１】
【数３】
ＦＣＭ＝（Ａ＋Ｂ）−（Ｃ＋Ｄ）
【００２２】
【数４】
ＲＦ＝Ｅ−Ｆ
なお、数１〜数４における“Ａ”〜“Ｆ”はそれぞれ検出素子２２ａ〜２２ｆの出力に対応する。また、検出素子２２ａおよび２２ｄはレーザ光のトレース方向左半分の光成分を検出し、検出素子２２ｂおよび２２ｃはレーザ光のトレース方向右半分の光成分を検出する。
【００２３】
ＤＳＰ（Ｄｉｇｉｔａｌ  Ｓｉｇｎａｌ  Ｐｒｏｃｅｓｓｏｒ）２８は、ＦＥ信号検出回路２４から出力されたＦＥ信号に基づいてフォーカスサーボ処理を実行し、ＴＥ信号検出回路２６から出力されたＴＥ信号に基づいてトラッキングサーボおよびスレッドサーボ処理を実行する。フォーカスサーボ処理によってフォーカスアクチュエータ制御信号が生成され、ＰＷＭ回路３０を介してフォーカスアクチュエータ１８に出力される。また、トラッキングサーボ処理によってトラッキングアクチュエータ制御信号が生成され、ＰＷＭ回路３２を介してトラッキングアクチュエータ１６に出力される。さらに、スレッドサーボ処理によってスレッド制御信号が生成され、ＰＷＭ回路３４を介してスレッドモータ６４に出力される。
【００２４】
ＲＦ信号検出回路４８から出力されたＲＦ信号は、ＥＣＣデコーダ５０によって誤り訂正復号化を施される。このとき、再生信号が生成されるとともに、再生信号の誤り率が算出される。算出された誤り率は、システムコントローラ３８に与えられる。
【００２５】
ＦＣＭ信号検出回路４４から出力されたＦＣＭ信号は、クロック発生回路４６に与えられ、これによって外部クロックが発生される。ＤＳＰ２８やＥＣＣエンコーダ５０は、この外部クロックに同期して動作する。
【００２６】
図２に示すようにアドレスマークの振れ幅は各々のトラック幅の１／２を占め、ＴＥ信号は図２および数２から分かるように左半分のレーザ光成分から右半分のレーザ光成分を引き算することで生成される。このため、レーザ光がトラックの中央をトレースするトラッキング状態では、ＴＥ信号のレベルはアドレスマークの凹凸に応じて図４に示すように変動する。この変動はトラッキングのずれに基づく変動よりも格段に大きい。このようなアドレスマークの走査によって生じる変動成分を、特に“アドレスマーク信号”と定義する。アドレスマーク信号はアドレス検出回路３４に与えられ、これよってアドレス値が検出される。検出されたアドレス値は、システムコントローラ３８に与えられる。
【００２７】
システムコントローラ３８は、操作キー４０の操作によって電源が投入されたとき、図７〜図１０に示すフロー図に従う処理を実行する。なお、このフロー図に対応する制御プログラムは、フラッシュメモリ４２に記憶される。
【００２８】
まず、ステップＳ１でレーザパワー値つまりレーザ光の光量を初期化する。具体的には、ライトパワーＰｗをデフォルト値Ｗｄｆｌｔに設定し、リードパワーＰ１をデフォルト値Ｒｄｆｌｔ１に設定し、そしてリードパワーＰ２をデフォルト値Ｒｄｆｌｔ２に設定する。ここで、デフォルト値Ｒｄｆｌｔ２はデフォルト値Ｒｄｆｌｔ１よりも大きい。
【００２９】
初期化が完了すると、ステップＳ３でスピンドルモータ６２を起動し、ステップＳ５でレーザダイオード回路２０を起動する。レーザダイオード回路２０のレーザパワーはリードパワーＰｒ１に設定され、レーザダイオード回路２０からは、このリードパワーＰｒ１に従うかつ高周波が重畳されたレーザ光が出射される。ステップＳ７では、サーボの起動をＤＳＰ２８に命令する。これによって、上述のフォーカスサーボ，トラッキングサーボおよびスレッドサーボが実行される。
【００３０】
ステップＳ９ではリードパワー校正処理によって最適再生レーザパワー値を特定し、ステップＳ１１ではライトパワー校正処理によって最適記録レーザパワー値を特定する。ステップＳ１１の処理が完了するとステップＳ１３に進み、操作キー４０の操作に対応するアプリケーション処理を実行する。アプリケーション処理が完了すると、ステップＳ１５で電源をオフしてから処理を終了する。
【００３１】
ステップＳ９のリードパワー校正処理は、図８〜１０に示すサブルーチンに従って実行される。まず、図８のステップＳ２１でＤＳＰ２８にシーク処理を命令する。光磁気ディスク５８の記録面は、図５に示すようにバンク１〜１２に区分され、かつ各々のバンクには３トラック幅のテストトラック領域が割り当てられる。さらに、バンド７のテストトラック領域には、図６に示すように特定トラック領域ＳＴＫが割り当てられる。ステップＳ２１では、この特定トラック領域ＳＴＫのシークをＤＳＰ２８に命令する。ＤＳＰ２８は、トラッキングサーボおよびスレッドサーボを解除し、レーザ光の照射位置をバンド７のテストトラック領域まで移動させる。シークが完了すると、ＤＳＰ２８は、トラッキングサーボおよびスレッドサーボを再開する。
【００３２】
ステップＳ２３では特定トラック領域ＳＴＫ上でデータライト処理を実行し、ステップＳ２５では特定トラックＳＴＫ上でテストリード処理を実行する。ステップＳ２７では、テストリード処理によってＥＣＣデコーダ５０で算出された誤り率を取り込み、この誤り率に基づいて最適リードパワーの算出のための処理を行う。ステップＳ２９では最適リードパワーが決定されたどうか判断し、ＮＯであればステップＳ３１でリードパワーＰｒ２をΔＰだけ増大させてからステップＳ２３に戻る。一方、ステップＳ３１でＹＥＳであればステップＳ３３に進み、決定された最適リードパワーをレジスタｒｇｓｔに保存する。ステップＳ３３の処理が完了すると、上階層のルーチンに復帰する。
【００３３】
ステップＳ２３のデータライト処理は、図９に示すサブルーチンに従って実行される。まず、ステップＳ４１でアドレス検出回路３６からアドレス値を取り込む。ステップＳ４３では、取り込まれたアドレス値を特定トラック領域ＳＴＫの先頭アドレス値と比較する。両アドレス値が一致しなければ、レーザ光の照射位置が特定トラック領域ＳＴＫに達していないとみなして、ステップＳ４１に戻る。両アドレス値が一致したときは、レーザ光の照射位置が特定トラック領域ＳＴＫに達したとみなし、ステップＳ４５以降の処理を実行する。
【００３４】
ステップＳ４５ではレーザパワーをリードパワーＰｒ１からライトパワーＰｗに変更し、ステップＳ４７ではデータ書き込みの開始をレーザダイオード回路２０に命令する。レーザダイオード回路２０は、ライトパワーＰｗに従うかつパルス変調されたレーザ光を出射する。これによって、所定データが特定トラック領域ＳＴＫに書き込まれる。
【００３５】
ステップＳ４９ではアドレス検出回路３６からアドレス値を取り込み、ステップＳ５１では取り込まれたアドレス値を特定トラック領域の末尾アドレス値と比較する。両アドレス値が一致しなければ、ステップＳ４９およびＳ５１の処理を繰り返す。両アドレス値が一致したときは、ステップＳ５３でデータライトの終了をレーザダイオード回路２０に命令するとともに、ステップＳ５５でレーザパワーをライトパワーＰｗからリードパワーＰｒ１に変更する。これによって、リードパワーＰｒ１に従うかつ高周波が重畳されたレーザ光がレーザダイオード回路２０から出射される。
【００３６】
ステップＳ５７では、ＤＳＰ２８にトラックジャンプを命令する。ＤＳＰ２８は、レーザ光の照射位置をバンド７のテストトラック領域の先頭まで戻す。ステップＳ５７の処理が完了すると、上階層のルーチンに復帰する。
【００３７】
ステップＳ２５のテストリード処理は、図１０に示すサブルーチンに従って実行される。まず、ステップＳ６１でアドレス検出回路３６からアドレス値を取り込み、取り込まれたアドレス値と特定トラック領域ＳＴＫの先頭アドレス値とをステップＳ６３で比較する。両アドレス値が一致しなければ、レーザ光の照射位置が特定トラック領域ＳＴＫに達していないとみなして、ステップＳ６１に戻る。両アドレス値が一致したときは、レーザ光の照射位置が特定トラック領域ＳＴＫに達したとみなし、ステップＳ６５に進む。
【００３８】
ステップＳ６５ではレーザパワーをリードパワーＰｒ１からリードパワーＰｒ２に変更し、ステップＳ６７ではＥＣＣエンコーダ５０を起動する。これによって、リードパワーＰｒ２に従うかつ高周波が重畳されたレーザ光がレーザダイオード回路２０から出射され、特定トラック領域ＳＴＫから再生されたＲＦ信号の誤り率がＥＣＣエンコーダ５０によって算出される。
【００３９】
ステップＳ６９ではアドレス検出回路３６からアドレス値を取り込み、ステップＳ７１では取り込まれたアドレス値を特定トラック領域の末尾アドレス値と比較する。両アドレス値が一致しなければ、ステップＳ６９に戻るが、両アドレス値が一致したときは、ステップＳ７３でＥＣＣデコーダ５０をオフし、ステップＳ７５でレーザパワーをリードパワーＰｒ１に変更する。ステップＳ７７では、レーザ光の照射位置をバンド７のテストトラック領域の先頭まで戻すべく、ＤＳＰ２８にトラックジャンプを命令する。ステップＳ７５の処理が完了すると、上階層のルーチンに復帰する。
【００４０】
図６を参照して、レーザ光の照射位置を光磁気ディスク５８の特定トラック領域ＳＴＫに移動させるとき、レーザダイオード回路２０のレーザパワーつまり光量はリードパワーＰｒ１に設定される（Ｓ５，Ｓ５５，Ｓ７５）。レーザ光の照射位置が特定トラック領域ＳＴＫの先頭アドレスに達すると、レーザパワーはリードパワーＰｒ１からリードパワーＰｒ２に変更される（Ｓ６５）。また、レーザ光の照射位置が特定トラック領域ＳＴＫの末尾アドレスに達すると、レーザパワーはリードパワーＰｒ２からリードパワーＰｒ１に変更される（Ｓ７５）。レーザパワーは、特定トラック領域ＳＴＫから反射された反射レーザ光に基づいて最適値に調整される（Ｓ２７）。
【００４１】
リードパワーＰｒ１はリードパワーＰｒ２よりも小さいため、特定トラック領域ＳＴＫへの移動時にデータが破壊される事態が回避される。また、特定トラック領域ＳＴＫに達するとレーザパワーがリードパワーＰｒ１からリードパワーＰｒ２に増大されるため、レーザパワーの調整に要する時間が短縮される。
【図面の簡単な説明】
【図１】この発明の一実施例を示すブロック図である。
【図２】光磁気ディスクの記録面に形成されたランドトラック，グルーブトラック，ＦＣＭおよびアドレスマークを示す図解図である。
【図３】光検出器の構成を示す図解図である。
【図４】アドレスマーク信号を示す波形図である。
【図５】光磁気ディスクの記録面に形成されたバンドの分布を示す図解図である。
【図６】図１実施例の動作の一部を示す図解図である。
【図７】図１実施例の動作の一部を示すフロー図である。
【図８】図１実施例の動作の他の一部を示すフロー図である。
【図９】図１実施例の動作のその他の一部を示すフロー図である。
【図１０】図１実施例の動作のさらにその他の一部を示すフロー図である。
【符号の説明】
１０…ディスク装置
１２…光ピックアップ
１４…光学レンズ
２４…ＦＥ信号検出回路
２６…ＴＥ信号検出回路
２８…ＤＳＰ
３６…アドレス検出回路
３８…システムコントローラ
【図１】
2004171708.tif 000003
【図２】
2004171708.tif 000004
【図３】
2004171708.tif 000005
【図４】
2004171708.tif 000006
【図５】
2004171708.tif 000007
【図６】
2004171708.tif 000008
【図７】
2004171708.tif 000009
【図８】
2004171708.tif 000010
【図９】
2004171708.tif 000011
【図１０】
2004171708.tif 000012